(57)【特許請求の範囲】
【請求項１】
人体局部を洗浄する洗浄手段が設けられる袖部を有さないベースプレートと、
前記ベースプレートと組み合わされて前記洗浄手段を覆い、袖部を有するベースカバーと、
前記袖部の表面に貼り付けられ、配線を有するメンブレンスイッチと、
前記メンブレンスイッチが貼り付けられる前記袖部の前記表面で前記メンブレンスイッチに覆い隠されて、前記配線を前記ベースカバーの前記袖部の裏側に露出しないで、前記ベースプレートと前記ベースカバーとで形成される内部空間に導く配線通し穴と、
を備え、
前記配線通し穴は、ダクトにより前記内部空間と連通する人体局部洗浄装置。
【請求項２】
前記配線通し穴は、前記メンブレンスイッチが貼り付けられる前記袖部の前記表面で、前記袖部の根本に設けられることを特徴とする請求項１に記載の人体局部洗浄装置。
【発明の詳細な説明】
【技術分野】
【０００１】
本発明は、人体局部の洗浄等の機能を操作する操作部をベースカバーの袖部に備える人体局部洗浄装置に関する。
【背景技術】
【０００２】
従来技術として、図７の人体局部洗浄装置６０がある。人体局部洗浄装置６０は、ベースカバー６１と、ベースプレート６２と、操作部６３と、を備える。ベースカバー６１は、袖部６４を備え、袖部６４には操作部６３が設けられる。操作部６３は、袖部６４の内部に設けられスイッチを有する操作基板６５と、袖部６４の表面に貼り付けられる操作銘板６６と、を備える構成である。操作基板６５は、ネジ６７によりベースカバー６１の袖部６４の内部に取り付けられる。人体局部洗浄装置６０は、ベースカバー６１の袖部６４の内部に操作基板６５を備えるため、操作基板６５への水、洗剤、ゴミ等の浸入防止、使用者等の操作基板６５への接触防止、を目的に、ベースカバー６１の袖部６４の裏側をベースプレート６２の袖部６８で蓋をする構成である。
【０００３】
また、便器と、便器上に載置される便座と、人体局部を洗浄する洗浄手段と、洗浄手段を備えたベースカバーとベースプレートとを有する本体と、本体の操作部近傍に開口された開口部と、開口部に係合可能なスイッチカバーと、操作部下方にはスイッチが配設された操作基板と、本体と一体成形されたキートップと、を備え、キートップの押圧によりスイッチが切換可能とする人体局部洗浄装置がある（例えば、特許文献１参照）。
【先行技術文献】
【特許文献】
【０００４】
【特許文献１】特開２０００−１２９７５０号公報
【発明の概要】
【発明が解決しようとする課題】
【０００５】
従来技術の人体局部洗浄装置６０では、人体局部洗浄装置６０の操作部を組み立てるのに、ベースカバー６１の袖部６４内部に操作基板６５を取り付けて、ベースカバー６１の袖部６４の表面に操作銘板６６であるフィルムを貼り、ベースプレート６２の袖部６８でベースカバー６１の袖部６４の裏側を蓋する必要があり、部品点数が多く組み立て工数がかかる問題があった。また、ベースカバー６１の操作部６３の有り／無しに応じて、ベースプレート６２も袖部６８の有り／無しの２種類を用意する必要があった。
【０００６】
この問題に対して、本願発明者は鋭意研究の結果、図８、９のベースカバーの袖部の表面にメンブレンスイッチを貼り付ける人体局部洗浄装置７０を発明した。人体局部洗浄装置７０は、人体局部を洗浄する洗浄ノズル７１が設けられるベースプレート７２と、ベースプレート７２と組み合わされて洗浄ノズル７１を覆い、袖部７３を有するベースカバー７４と、ベースカバー７４の袖部７３の表面の貼り付け面７５に貼り付けられ、操作部を有するメンブレンスイッチ７６とから構成される。この人体局部洗浄装置７０では、従来と比べて部品点数と操作部の組み立て工数とが少なく、ベースカバー７４の操作部の有り／無しに係わらずベースカバー７４の袖部７３の裏側をベースプレート７２で蓋をする必要がなく、ベースプレート７２は袖部無しの１種類で対応可能である。
【０００７】
しかしながら、図８、９の人体局部洗浄装置７０では、メンブレンスイッチ７６の配線７７は、第１配線通し穴７８を通り袖部７３の表側から袖部７３の裏側へ導かれ、袖部７３の裏側に露出して、第２配線通し穴７９を通り袖部７３の裏側からベースプレート７２とベースカバー７４とで形成される内部空間８０へと導かれる。内部空間８０には洗浄ノズル７１を制御する制御基板が設けられるため、袖部７３の裏側から内部空間８０へ配線７７を導く第２配線通し穴７９の配線７７の周囲を防水等のために封止部材８１で封止する必要がある。第２配線通し穴７９の封止作業は、袖部７３の裏側から行う必要があり、作業に手間が掛かる問題がある。また、袖部７３の裏側に露出した配線７７に手を引っ掛けたりして配線７７を引っ張ると、配線７７の断線や、第２配線通し穴の封止部材８１が破損して封止機能を毀損する問題がある。
【０００８】
本発明は上記問題点に鑑みて成されたものであり、ベースプレートとベースカバーとで形成される内部空間に通じる配線通し穴の封止作業が従来と比べて容易で、袖部の裏側に露出した配線を引っ張ることに起因する断線や、封止機能の毀損を防止する人体局部洗浄装置を提供することを目的とする。
【課題を解決するための手段】
【０００９】
本発明の第１の課題解決手段は、人体局部を洗浄する洗浄手段が設けられる袖部を有さないベースプレートと、前記ベースプレートと組み合わされて前記洗浄手段を覆い、袖部を有するベースカバーと、前記袖部の表面に貼り付けられ、配線を有するメンブレンスイッチと、前記メンブレンスイッチが貼り付けられる前記袖部の前記表面で前記メンブレンスイッチに覆い隠されて、前記配線を前記ベースカバーの前記袖部の裏側に露出しないで、前記ベースプレートと前記ベースカバーとで形成される内部空間に導く配線通し穴と、を備え、前記配線通し穴は、ダクトにより前記内部空間と連通する構成である。
【００１０】
また、本発明の第２の課題解決手段は、前記配線通し穴は、前記メンブレンスイッチが貼り付けられる前記袖部の前記表面で、前記袖部の根本に設けられる。
【発明の効果】
【００１２】
本発明の人体局部洗浄装置では、配線通し穴は、メンブレンスイッチが貼り付けられる袖部の表面でメンブレンスイッチに覆い隠されて、配線を袖部の裏側に露出しないで、ベースプレートとベースカバーとで形成される内部空間に導く構成である。メンブレンスイッチで配線通し穴を覆い隠すように袖部の表面に貼り付けると、メンブレンスイッチが封止部材として機能する。よって、配線通し穴の封止作業に手間が掛からない。また、配線は袖部の裏側には露出しないで、配線通し穴により直接内部空間に導かれるため、袖部の裏側に露出した配線を引っ張ることに起因する断線や、封止機能の毀損を防止できる。
【００１３】
また、配線通し穴は、メンブレンスイッチが貼り付けられる袖部の表面で、配線を内部空間に導く長さが短い位置に設けられるため、配線の組み付け性、配線通し穴を備えるベースカバーの成形加工性が向上する。
【００１４】
また、配線通し穴は、ダクトにより内部空間と連通するため、配線通し穴がメンブレンスイッチが貼り付けられる袖部の表面で、配線を内部空間に導く長さが長い位置に設けられる場合でも、袖部の裏側に配線を露出することなく内部空間に導くことができる。よって、エンブレンスイッチの配線の取り付け位置の自由度が高まる。
【図面の簡単な説明】
【００１５】
【図１】本発明の人体局部洗浄装置の組立図である。
【図２】本発明のベースカバーの袖部の表側からの斜視図である。
【図３】本発明のベースカバーの袖部の裏側からの斜視図である。
【図４】本発明のメンブレンスイッチの操作部の構成を示す断面図である。
【図５】本発明の変形例のベースカバーの袖部の表側からの斜視図である。
【図６】本発明の変形例のベースカバーの袖部の裏側からの斜視図である。
【図７】従来の人体局部洗浄装置の組立図である。
【図８】メンブレンスイッチを備えた人体局部洗浄装置の組立図である。
【図９】メンブレンスイッチを備えた人体局部洗浄装置の袖部の裏側からの斜視図である。
【発明を実施するための形態】
【００１６】
以下に本発明の実施の形態を図面に基づいて詳細に説明する。
【００１７】
図１は、本発明の人体局部洗浄装置１の組立図である。人体局部洗浄装置１は、図示しない便器本体に載置されるベースプレート１０と、ベースプレート１０と組み合わされ袖部２１を有するベースカバー２０と、ベースカバー２０の袖部２１の表面の貼り付け面２２に貼り付けられるメンブレンスイッチ３０とから構成される。ベースプレート１０には、人体局部を洗浄する洗浄ノズル１１（洗浄手段）と、洗浄ノズル１１を制御する図示しない制御基板が設けられる。ベースカバー２０は、洗浄ノズル１１と制御基板を覆うようにベースプレート１０と一体に組み合わされ、内部空間１２を形成する。メンブレンスイッチ３０は、洗浄、乾燥、脱臭等を操作する操作部３１が設けられ、ベースカバー２０の袖部２１の表面の貼り付け面２２に袖部２１の表側から貼り付けられる。メンブレンスイッチ３０は、内部空間１２の制御基板と接続する配線３２を備える。
【００１８】
図２は、本発明のベースカバー２０の袖部２１の表側からの斜視図である。ベースカバー２０は、袖部２１の表面に貼り付け面２２を有する。貼り付け面２２には、配線３２を内部空間１２に導く長さが短くなる袖部２１の根元２３近傍に、メンブレンスイッチ３０からの配線３２を制御基板が設けられる内部空間１２と連通する配線通し穴４０が設けられる。配線通し穴４０は、メンブレンスイッチ３０が貼り付け面２２に張り付いた状態では、メンブレンスイッチ３０に覆い隠されて、使用者から視認できない構成である。
【００１９】
図３は、本発明のベースカバー２０の袖部２１の裏側からの斜視図である。ベースカバー２０の袖部２１の裏面には、格子状の補強リブ２４が設けられている。ベースカバー２０は樹脂製で、配線通し穴４０と補強リブ２４はベースカバー２０が樹脂成形される際に一体で設けられる。袖部２１の裏側は、スイッチが配設された操作基板等を備えない構成である。ベースカバー２０の裏側は常に開放された状態で、袖部２１の裏側からは補強リブ２４が視認可能である。配線通し穴４０は、配線３２をベースプレート１０とベースカバー２０とで形成される内部空間１２に導き、袖部２１の裏側から配線３２を露出しない構成である。
【００２０】
図４は、本発明のメンブレンスイッチ３０の構成を示す断面図である。メンブレンスイッチ３０は、上部接点シート３３と下部接点シート３４との間にスペーサー３５を挟んで貼り合わせた構成である。上部接点シート３３の全面は、ポリエステル製でエンボス加工され、使用者が洗浄、乾燥、脱臭等の操作を行う操作銘板シート３６が貼り合わされる。また、下部接点シート３４の全面は、粘着シート３７が貼り合わされる。上部接点シート３３には接点３８が設けられ、下部接点シート３４には接点３８と接触して導通状態とする接点３９が設けられる。
【００２１】
次に人体局部洗浄装置１の操作部３１の組み立て手順について説明する。メンブレンスイッチ３０に設けられた配線３２は、配線通し穴４０を通り、袖部２１の裏側に露出しないで、内部空間１２に導かれ制御基板と接続する。メンブレンスイッチ３０は、粘着のシート３７によりベースカバー２０の貼り付け面２２に袖部２１の表側から配線通し穴４０を覆い隠すように貼り付けられる。そしてベースカバー２０は、洗浄ノズル１１を覆うようにベースプレート１０に一体に組み付けられる。
【００２２】
次にメンブレンスイッチ３０の動作について説明する。使用者がエンボス加工された洗浄、乾燥、脱臭が表示された操作銘板シート３６を押圧すると、操作銘板シート３６は弾性変形して上部接点シート３３を下部接点シート３４方向に変位する。そして上部接点シート３３の接点３８と下部接点シート３４の接点３９が接触して導通状態になる。使用者が操作銘板シート３６から手を離すと、操作銘板シート３６は押圧前の形状に戻り、上部接点シート３３の接点３８と下部接点シート３４の接点３９が離れて絶縁状態になる。このときの導通／絶縁状態の信号が配線３２により制御基板に送られる。
【００２３】
本発明の人体局部洗浄装置１では、配線通し穴４０は、メンブレンスイッチ３０が貼り付けられる袖部２１の貼り付け面２２でメンブレンスイッチ３０に覆い隠されて、配線３２を袖部２１の裏側に露出しないで、ベースプレート１０とベースカバー２０とで形成される内部空間１２に導く構成である。メンブレンスイッチ３０で配線通し穴４０を覆い隠すように袖部２１の貼り付け面２２に貼り付けると、メンブレンスイッチ３０が封止部材として機能する。よって、配線通し穴４０の封止作業に手間が掛からない。また、配線３２は袖部２１の裏側には露出しないで、配線通し穴４０により直接内部空間１２に導かれるため、袖部２１の裏側に露出した配線３２を引っ張ることに起因する断線や、封止機能の毀損を防止できる。また、配線通し穴４０は、メンブレンスイッチ３０が貼り付けられる袖部２１の貼り付け面２２で、配線３２を内部空間１２に導く長さが短い袖部２１の根元２３近傍に設けられるため、配線３２の組み付け性、配線通し穴４０を備えるベースカバー２０の成形加工性が向上する。
【００２４】
図５、６は本発明の変形例で、配線通し穴をダクトとして内部空間と連通したものである。同一の構成、機能については、同一の符号を用いて説明する。
【００２５】
図５はベースカバー２０の袖部２１の表側からの斜視図で、袖部２１の貼り付け面２２にメンブレンスイッチ３０を貼り付ける前の状態である。配線通し穴４０ａは、貼り付け面２２の付根２３近傍から少し離れた位置に設けられる。メンブレンスイッチ３０を貼り付け面２２に貼り付けた状態では、配線通し穴４０ａはメンブレンスイッチ３０に覆い隠されて、使用者からは視認できない構成である。
【００２６】
図６はベースカバー２０の袖部２１の裏側からの斜視図である。ベースカバー２０の裏側は常に開放された状態で、袖部２１の裏側からは補強リブ２４が視認可能である。配線３２は、配線通し穴４０ａのダクト４１を通り内部空間１２へと導かれる。配線３２は、ダクト４１内を通るため、袖部２１の裏側から露出しない。
【００２７】
本発明の変形例の組み立て手順について説明する。メンブレンスイッチ３０に設けられた配線３２は、貼り付け面２２に設けられた配線通し穴４０ａから、ダクト４１を通り、内部空間１２へと導かれ制御基板と接続する。メンブレンスイッチ３０は、粘着のシート３７によりベースカバー２０の貼り付け面２２に袖部２１の表側から配線通し穴４０ａを覆い隠すように貼り付けられる。そしてベースカバー２０は、洗浄ノズル１１を覆うようにベースプレート１０に一体に組み付けられる。
【００２８】
本発明の変形例では、配線通し穴４０ａは、ダクト４１により内部空間１２と連通するため、配線通し穴４０がメンブレンスイッチ３０が貼り付けられる袖部２１の表面の貼り付け面２２で、配線３２を内部空間１２に導く長さが長くなる位置に設けられた場合でも、袖部２１の裏側に配線３２を露出することなく内部空間１２に導くことができる。よって、配線３２の取り回しの自由度が高まる。
【符号の説明】
【００２９】
１  人体局部洗浄装置
１０  ベースプレート
１１  洗浄ノズル（洗浄手段）
１２  内部空間
２０  ベースカバー
２１  袖部
３０  メンブレンスイッチ
３２  配線
４０  配線通し穴
４０ａ  配線通し穴
４１  ダクト
【図１】
0005644323.tif 000002
【図２】
0005644323.tif 000003
【図３】
0005644323.tif 000004
【図４】
0005644323.tif 000005
【図５】
0005644323.tif 000006
【図６】
0005644323.tif 000007
【図７】
0005644323.tif 000008
【図８】
0005644323.tif 000009
【図９】
0005644323.tif 000010